(57)【要約】【課題】ウォームアップに伴うエネルギー効率の向上を図る。【解決手段】ＣＰＵ１０１は、入力された複数のジョブについて塗布部４０Ｃによる塗布処理の必要な第１のジョブと塗布処理を行わない第２のジョブとを特定する。そして、ＣＰＵ１０１は、第２のジョブの他に第１のジョブが複数入力されたときは、第１のジョブが連続して実行されるように複数のジョブの実行順序を決定する。【選択図】図４
2011099945.tif 000002
【特許請求の範囲】
【請求項１】
所定時間のウォームアップを必要とし、画像が形成されたシートに対して所定の処理を施す処理装置を備えた画像形成装置であって、
入力された複数のジョブについて前記処理装置による処理の必要な第１のジョブと前記処理装置による処理を行わない第２のジョブとの何れであるかを特定し、前記第２のジョブの他に前記第１のジョブが複数入力されたときは、前記第１のジョブが連続して実行されるように前記複数のジョブの実行順序を決定する制御部と、
前記制御部によって決定された前記複数のジョブの実行順序に従ってジョブを順次実行する画像形成部と、を備えたことを特徴とする画像形成装置。
【請求項２】
前記制御部は、前記処理装置のウォームアップが完了するまでの時間であるウォームアップ完了時間と入力された前記第２のジョブの処理時間とを特定し、前記第２のジョブの処理時間が前記ウォームアップ完了時間の範囲内にあるか否かを判定し、前記第２のジョブの処理時間が前記ウォームアップ完了時間の範囲内にあると判定したときは、当該第２のジョブが前記第１のジョブに優先して実行されるようにジョブの実行順序を決定し、前記第２のジョブの処理時間が前記ウォームアップ完了時間の範囲内にあると判定しないときは、当該第２のジョブが連続して実行される複数の前記第１のジョブに続いて実行されるようにジョブの実行順序を決定することを特徴とする請求項１に記載の画像形成装置。
【請求項３】
前記制御部は、前記処理装置のウォームアップが完了しているとき、前記第１のジョブが優先して実行されるようにジョブの実行順序を決定することを特徴とする請求項１又は２に記載の画像形成装置。
【請求項４】
前記処理装置は、画像が形成されたシートに接着剤を塗布する後処理装置であって、
前記接着剤を貯留する接着剤貯留部と、
前記接着剤貯留部に貯留された接着剤の貯留量を検出する貯留量検出部と、を備え、
前記制御部は、前記貯留量検出部による検出の結果、接着剤の貯留量が所定量に満たないときは、前記画像形成部に、前記第１のジョブの実行を保留して前記第２のジョブを優先して実行させることを特徴とする請求項１〜３の何れか一項に記載の画像形成装置。
【請求項５】
前記処理装置によって処理されたシートを排出する排出部と、
前記排出部によって排出されたシートを貯留するシート貯留部と、を備え、
前記制御部は、前記シート貯留部に貯留されたシートが所定量となったときは、前記画像形成部に、前記第１のジョブの実行を保留して前記第２のジョブを優先して実行させることを特徴とする請求項１〜４の何れか一項に記載の画像形成装置。
【請求項６】
所定時間のウォームアップを必要とし、画像が形成されたシートに対して所定の処理を施す処理装置を備えた画像形成装置の制御方法であって、
入力された複数のジョブについて前記処理装置による処理の必要な第１のジョブと前記処理装置による処理を行わない第２のジョブとの何れであるかを特定し、
前記第２のジョブの他に前記第１のジョブが複数入力されたときは、前記第１のジョブが連続して実行されるように前記複数のジョブの実行順序を決定し、
該決定された複数のジョブの実行順序に従ってジョブを順次実行することを特徴とする画像形成装置の制御方法。
【請求項７】
前記処理装置のウォームアップが完了するまでの時間であるウォームアップ完了時間と入力された前記第２のジョブの処理時間とを特定し、
前記第２のジョブの処理時間が前記ウォームアップ完了時間の範囲内にあるか否かを判定し、
前記第２のジョブの処理時間が前記ウォームアップ完了時間の範囲内にあると判定したときは、当該第２のジョブが前記第１のジョブに優先して実行されるようにジョブの実行順序を決定し、前記第２のジョブの処理時間が前記ウォームアップ完了時間の範囲内にあると判定しないときは、当該第２のジョブが連続して実行される複数の前記第１のジョブに続いて実行されるようにジョブの実行順序を決定することを特徴とする請求項６に記載の画像形成装置の制御方法。
【請求項８】
前記処理装置のウォームアップが完了しているとき、前記第１のジョブが優先して実行されるようにジョブの実行順序を決定することを特徴とする請求項６又は７に記載の画像形成装置の制御方法。
【請求項９】
前記処理装置は、画像が形成されたシートに接着剤を塗布する後処理装置であって、
接着剤を貯留する接着剤貯留部に貯留された接着剤の貯留量を検出し、接着剤の貯留量が所定量に満たないときは、前記第１のジョブの実行を保留して前記第２のジョブを優先して実行することを特徴とする請求項６〜８の何れか一項に記載の画像形成装置の制御方法。
【請求項１０】
前記処理装置によって処理され、排出されたシートを貯留する貯留部に貯留されたシートが所定量となったときは、前記第１のジョブの実行を保留して前記第２のジョブを優先して実行することを特徴とする請求項６〜９の何れか一項に記載の画像形成装置の制御方法。
【発明の詳細な説明】
【技術分野】
【０００１】
本発明は、画像形成装置、及び画像形成装置の制御方法に関する。
【背景技術】
【０００２】
従来、製本処理等の後処理を行う処理装置を備えた画像形成装置が使用されている。
【０００３】
このような目的に使用される画像形成装置は、一般に、高速、高性能のものが用いられ、製本処理以外に、オフィスで必要とする他の目的にも有効に活用することができる。したがって、製本処理を行う画像形成作業と、製本作業を行わない画像形成作業の二種類の形態の作業が、この画像形成装置を使用して行われる。そして、高速、高性能の画像形成装置は、通常、複数の画像形成作業内容を予め設定して（ジョブ設定と称す）、設定された複数のジョブを順番に実行させる機能を有する。
【０００４】
このような画像形成装置では、画像形成作業において、ジョブによってはウォームアップを必要とする処理装置による処理の必要なものがあり、このようなジョブを実行するときに処理装置のウォームアップが完了していない場合には、ウォームアップが完了するまで、当該ジョブを含め、その後に実行される全てのジョブを待機させなければならず、大変非効率なものであった。
【０００５】
このような問題を解決するために、特許文献１には、入力されたジョブのうち、ウォームアップを必要とする後処理を施さないジョブ（以下、ウォームアップ不要ジョブという）を、ウォームアップを必要とする後処理が必要なジョブ（以下、ウォームアップ必要ジョブという）に優先して実行させるようにすることで、処理装置のウォームアップ中においても他のジョブを実行可能にして画像形成装置の効率化を図ることが記載されている。
【先行技術文献】
【特許文献】
【０００６】
【特許文献１】特開２００６−１５６８３号公報
【発明の概要】
【発明が解決しようとする課題】
【０００７】
しかしながら、上記特許文献１に記載の画像形成装置では、処理装置のウォームアップが完了した後については、入力された順序に従ってジョブが実行されるため、ウォームアップ必要ジョブが実行され、ウォームアップ不要ジョブが実行された後、さらにウォームアップ必要ジョブが実行される場合には、後処理に必要な温度の低下を抑制するため、ウォームアップ不要ジョブの実行中においても処理装置を加熱制御し続けなければならず、エネルギー効率がよくないという問題がある。
【０００８】
本発明の課題は、ウォームアップに伴うエネルギー効率の向上を図ることができる画像形成装置、及び画像形成装置の制御方法を提供することである。
【課題を解決するための手段】
【０００９】
以上の課題を解決するため、請求項１に記載の発明は、所定時間のウォームアップを必要とし、画像が形成されたシートに対して所定の処理を施す処理装置を備えた画像形成装置であって、
入力された複数のジョブについて前記処理装置による処理の必要な第１のジョブと前記処理装置による処理を行わない第２のジョブとの何れであるかを特定し、前記第２のジョブの他に前記第１のジョブが複数入力されたときは、前記第１のジョブが連続して実行されるように前記複数のジョブの実行順序を決定する制御部と、
前記制御部によって決定された前記複数のジョブの実行順序に従ってジョブを順次実行する画像形成部と、を備えたことを特徴とする。
【００１０】
請求項２に記載の発明は、請求項１に記載の画像形成装置において、
前記制御部は、前記処理装置のウォームアップが完了するまでの時間であるウォームアップ完了時間と入力された前記第２のジョブの処理時間とを特定し、前記第２のジョブの処理時間が前記ウォームアップ完了時間の範囲内にあるか否かを判定し、前記第２のジョブの処理時間が前記ウォームアップ完了時間の範囲内にあると判定したときは、当該第２のジョブが前記第１のジョブに優先して実行されるようにジョブの実行順序を決定し、前記第２のジョブの処理時間が前記ウォームアップ完了時間の範囲内にあると判定しないときは、当該第２のジョブが連続して実行される複数の前記第１のジョブに続いて実行されるようにジョブの実行順序を決定することを特徴とする。
【００１１】
請求項３に記載の発明は、請求項１又は２に記載の画像形成装置において、
前記制御部は、前記処理装置のウォームアップが完了しているとき、前記第１のジョブが優先して実行されるようにジョブの実行順序を決定することを特徴とする。
【００１２】
請求項４に記載の発明は、請求項１〜３の何れか一項に記載の画像形成装置において、
前記処理装置は、画像が形成されたシートに接着剤を塗布する後処理装置であって、
前記接着剤を貯留する接着剤貯留部と、
前記接着剤貯留部に貯留された接着剤の貯留量を検出する貯留量検出部と、を備え、
前記制御部は、前記貯留量検出部による検出の結果、接着剤の貯留量が所定量に満たないときは、前記画像形成部に、前記第１のジョブの実行を保留して前記第２のジョブを優先して実行させることを特徴とする。
【００１３】
請求項５に記載の発明は、請求項１〜４の何れか一項に記載の画像形成装置において、
前記処理装置によって処理されたシートを排出する排出部と、
前記排出部によって排出されたシートを貯留するシート貯留部と、を備え、
前記制御部は、前記シート貯留部に貯留されたシートが所定量となったときは、前記画像形成部に、前記第１のジョブの実行を保留して前記第２のジョブを優先して実行させることを特徴とする。
【００１４】
請求項６に記載の発明は、所定時間のウォームアップを必要とし、画像が形成されたシートに対して所定の処理を施す処理装置を備えた画像形成装置の制御方法であって、
入力された複数のジョブについて前記処理装置による処理の必要な第１のジョブと前記処理装置による処理を行わない第２のジョブとの何れであるかを特定し、
前記第２のジョブの他に前記第１のジョブが複数入力されたときは、前記第１のジョブが連続して実行されるように前記複数のジョブの実行順序を決定し、
該決定された複数のジョブの実行順序に従ってジョブを順次実行することを特徴とする。
【００１５】
請求項７に記載の発明は、請求項６に記載の画像形成装置の制御方法において、
前記処理装置のウォームアップが完了するまでの時間であるウォームアップ完了時間と入力された前記第２のジョブの処理時間とを特定し、
前記第２のジョブの処理時間が前記ウォームアップ完了時間の範囲内にあるか否かを判定し、
前記第２のジョブの処理時間が前記ウォームアップ完了時間の範囲内にあると判定したときは、当該第２のジョブが前記第１のジョブに優先して実行されるようにジョブの実行順序を決定し、前記第２のジョブの処理時間が前記ウォームアップ完了時間の範囲内にあると判定しないときは、当該第２のジョブが連続して実行される複数の前記第１のジョブに続いて実行されるようにジョブの実行順序を決定することを特徴とする。
【００１６】
請求項８に記載の発明は、請求項６又は７に記載の画像形成装置の制御方法において、
前記処理装置のウォームアップが完了しているとき、前記第１のジョブが優先して実行されるようにジョブの実行順序を決定することを特徴とする。
【００１７】
請求項９に記載の発明は、請求項６〜８の何れか一項に記載の画像形成装置の制御方法において、
前記処理装置は、画像が形成されたシートに接着剤を塗布する後処理装置であって、
接着剤を貯留する接着剤貯留部に貯留された接着剤の貯留量を検出し、接着剤の貯留量が所定量に満たないときは、前記第１のジョブの実行を保留して前記第２のジョブを優先して実行することを特徴とする。
【００１８】
請求項１０に記載の発明は、請求項６〜９の何れか一項に記載の画像形成装置の制御方法において、
前記処理装置によって処理され、排出されたシートを貯留する貯留部に貯留されたシートが所定量となったときは、前記第１のジョブの実行を保留して前記第２のジョブを優先して実行することを特徴とする。
【発明の効果】
【００１９】
本発明によれば、ウォームアップに伴うエネルギー効率の向上を図ることができる。
【図面の簡単な説明】
【００２０】
【図１】画像形成システムの全体構成図である。
【図２】製本装置の構成図である。
【図３】シートの束に接着剤を塗布する工程を示す図である。
【図４】画像形成システムの制御ブロック図である。
【図５】画像形成装置のＲＯＭに記憶されたプログラムを示す図である。
【図６】ジョブの実行順序を決定する手順を示すフローチャートである。
【図７】ジョブの実行順序を決定する手順を示すフローチャートである。
【図８】ジョブの実行順序を決定する手順を示すフローチャートである。
【図９】ジョブの実行順序を決定する手順を説明する図である。
【図１０】ジョブの実行順序の決定と加熱時間との関係を説明する図である。
【図１１】ジョブの実行順序を決定する手順を説明する図である。
【図１２】ジョブの実行順序の決定と加熱時間との関係を説明する図である。
【図１３】ジョブの実行順序を決定する手順を説明する図である。
【図１４】ジョブの実行順序の決定と加熱時間との関係を説明する図である。
【図１５】他の実施形態における画像形成システムの全体構成図である。
【発明を実施するための形態】
【００２１】
以下、本発明の第１の実施の形態について図面を参照しながら説明する。なお、発明の範囲は図示例に限定されない。
また、本発明の実施の形態では、構成する全ての装置全体として画像形成システムと称しているが、本発明において画像形成装置とは、画像形成装置本体、または、画像形成装置本体と他の装置とを含めた形態の何れをも含むものである。
【００２２】
画像形成システムＳＹは、例えば、図１に示すように、画像形成装置本体Ａ及びシート処理装置ＦＳを有する。またシート処理装置ＦＳは、折り処理装置Ｂと製本装置Ｃから構成されている。
【００２３】
画像形成装置本体Ａは電子写真方式によりシートＳ１等に画像を形成するものであり、画像形成部Ａ１、原稿搬送部Ａ２、及び画像読取部Ａ３を有する。画像形成部Ａ１において、ドラム状の感光体１の周囲に帯電部２、露光部３、現像部４、転写部５Ａ、分離部５Ｂ及びクリーニング部６が配置されており、帯電、露光、現像及び転写の各プロセスが実行され、シートＳ１等にトナー像が形成される。
【００２４】
冊子が生成された場合に表紙Ｓ２に覆われるシートＳ１は、例えば、給紙トレイ７Ａに収納されており、表紙Ｓ２は、例えば、給紙トレイ７Ｂと製本装置Ｃの表紙収納部７０Ｃに収納されている。
【００２５】
給紙トレイ７Ａ等からシートＳ１等が１枚ずつ排出され、画像形成部Ａ１へ搬送される。トナー像が転写されたシートＳ１等は定着部８を通過して定着処理される。定着処理されたシートＳ１等は、排紙ローラ７Ｃから画像形成装置本体Ａの外へ排出される。
【００２６】
なお、本実施形態における画像形成装置本体Ａは電子写真方式によりシートにモノクロ画像を形成するものであるが、本発明に係る画像形成装置は本実施形態に限定されるものではなく、カラー画像形成装置であってもよいことは勿論のこと、その画像形成方式も電子写真方式以外のどのような画像形成方式であっても構わない。
【００２７】
折り処理装置Ｂは、例えば、穿孔部、第１折り処理部、第２折り処理部、第３折り処理部等から構成され、画像形成されたシートＳ１等に対する穿孔処理と、各種の折り処理等を実行する。また、折り処理装置Ｂは、冊子の間にインターシートを挿入するためのインターシート挿入部を備える。
【００２８】
製本装置Ｃは、折り処理装置Ｂから送り込まれたシートＳ１を複数枚束ねてシートの束とし、当該束に表紙Ｓ２を接合して表紙によりシートの束をコの字状に覆うことで冊子を生成する。
【００２９】
製本装置Ｃは、例えば、図２に示すように、搬送部１０Ｃ、排紙皿２０Ｃ、シート反転部３０Ｃ、処理装置としての塗布部４０Ｃ、集積部５０Ｃ、シート束に表紙を接合する接合部６０Ｃ（冊子生成部）、表紙収納部７０Ｃ、本排出部８０Ｃを有する。製本装置Ｃへ搬送されてきたシートＳ１は、搬送部１０Ｃに設けられた切り替えゲート１１により、排出路１２を経て排紙皿２０Ｃに排出されるか又はシート反転部３０Ｃに搬送される。排紙皿２０Ｃには、製本装置Ｃにおいて製本しない場合のシートＳ１や、折り処理装置Ｂで折り処理されたシートが排出される。製本装置Ｃにおいては、シートＳ１は搬送路１３を経てシート反転部３０Ｃに搬送され、シート反転部３０Ｃにおいてスイッチバックした後に、集積部５０Ｃに搬送される。集積部５０Ｃにおいて設定枚数のシートＳ１が集積され、シートＳ１が設定枚数に到達すると集積部５０Ｃが回転し、シートＳ１の束がほぼ垂直状態で保持される。そしてシートＳ１の束の背部である下面に塗布部４０Ｃによって接着剤が塗布され、シートＳ１の束に表紙Ｓ２が接触し接着される。シートＳ１の束に表紙Ｓ２が接着されて生成された冊子Ｓ３は本排出部８０Ｃに排出される。本排出部８０Ｃは、冊子Ｓ３を貯留する貯留部８２と、貯留部８２に冊子Ｓ３を排出する排出部８１と、冊子Ｓ３が所定高さまで積載されたことを検出するシート貯留検出部８３とを備えている。本排出部８０Ｃは、貯留部８２に貯留された冊子Ｓ３の量に応じて排出部８１における冊子Ｓ３の排出する位置を変化させ、シート貯留検出部８３によって冊子Ｓ３が所定高さまで積載されたことが検出されると後述する製本処理を施すジョブの実行が保留される。表紙Ｓ２は給紙トレイ７Ｂのほかに表紙収納部７０Ｃにも収納されており、表紙Ｓ２に画像を形成する場合は給紙トレイ７Ｂから排出され、表紙Ｓ２に画像を形成しない場合は表紙収納部７０Ｃから排出される。表紙Ｓ２が長い不定形サイズである場合は、シートＳ１のサイズ情報及びシートＳ１の束の厚さ情報により所定の長さでカッター７１により断裁される。
【００３０】
次に、図３を参照しながら、シートＳ１の束に接着剤を塗布する工程を説明する。
【００３１】
モータＭ１によって第２の挟持部材５０３がシートＳ１の束に向けて移動し、第２の挟持部材５０３がシートＳ１の束を一定の圧で押圧すると、モータＭ１の駆動トルクの増大を駆動トルク検知センサで検知して第２の挟持部材５０３の移動が停止する。このような構成によりシートＳ１の束が第１の挟持部材５０２と第２の挟持部材５０３により強固に挟持される。第２の挟持部材５０３の移動量はエンコーダ５０９により測定され、ＲＡＭ等に記憶される。
【００３２】
シートＳ１の束が第１の挟持部材５０２と第２の挟持部材５０３により挟持された段階で、受け板５０６が９０°回転して、図３（ｂ）に示すように退避する。受け板５０６が退避した段階では、シートＳ１の束の下面ＳＡと塗布ローラ６２は接触していない（図３（ｃ）参照）。
【００３３】
次に図３（ｄ）に示すように、接着剤６３が収容されている塗布部４０Ｃが上昇して塗布ローラ６２がシートＳ１の束の背部となる下面ＳＡに接触し、塗布部４０ＣがシートＳ１の束の下面ＳＡに沿って移動することによって、接着剤６３がシートＳ１の束の下面ＳＡに塗布される。塗布ローラ６２はモータＭ２によって駆動される。
【００３４】
なお、本発明の実施の形態で使用される接着剤６３は、例えば、酢酸ビニル樹脂系などの水性のエマルジョン糊で、粘度は常温で７５０〜１５００ｍＰａ・ｓである。この水溶性の接着剤６３により接着されたシートＳ１は、再生紙として再利用可能である。
【００３５】
塗布部４０Ｃは、加熱部４０Ｃａと温度検知部４０Ｃｂとを備えており、これらによって接着剤６３を一定の粘度になるように所定の温度まで温め、接着剤６３がその粘度を維持するように収容温度を制御している。また、塗布部４０Ｃは、接着剤６３を貯留する接着剤貯留部６０と、貯留量検出部６４を備えている。貯留量検出部６４は、例えば、レベルセンサ等が適用でき、接着剤貯留部６０に貯留された接着剤の量を検出するものである。接着剤貯留部６０は、貯留量検出部６４の検出結果に応じて、図示しない補給タンクから接着剤６３が適宜供給されるように構成されている。また、貯留量検出部６４によって、接着剤貯留部６０に貯留された接着剤６３の量が所定量を下回ると後述する製本処理を施すジョブの実行が保留される。
【００３６】
このような接着剤６３を一定の温度に到達させ、冊子Ｓ３の生成に使用可能とするまでの時間は、製本装置Ｃのウォームアップの律速時間となっている。このウォームアップ時間（例えば１５〜２０分）は、画像形成装置本体Ａのウォームアップ時間（例えば５分）に比較して長い。
【００３７】
したがって、複数のジョブが設定され、例えば、第１番目に設定されたジョブが、上述したような製本処理を施すジョブであり、その後、製本処理を施さないジョブを挟んで、さらに製本処理を施すジョブが設定された場合、作業の効率化からウォームアップに伴うジョブの待機を抑制するために、製本処理を施さないジョブの実行中においても加熱部４０Ｃａを加熱し続けて接着剤６３を一定温度に保たなければならない。この状況は、画像形成システムＳＹのエネルギー効率の観点から大きな問題となっている。また、加熱しすぎると接着剤６３が劣化してしまい、接着力が低下したり異臭が発生するなど、冊子の品質が低下するという問題も生じている。
【００３８】
次に、このような問題を解決する画像形成装置、及び画像形成装置の制御方法について説明する。
【００３９】
画像形成装置本体Ａと折り処理装置Ｂと製本装置Ｃは、例えば、図４に示すように、通信部１０６、２０４、２０５、３０４を介して電気的に接続されており、制御信号の授受が相互に行われる。また、画像形成装置本体Ａは、ＰＣ（Personal Computer）と電気的に接続されている。
【００４０】
制御部として機能するＣＰＵ（Central Processing Unit）１０１は画像形成装置本体Ａ全体の動作を制御するものであり、ＲＯＭ（Read Only Memory）１０２やＲＡＭ（Random Access Memory）１０３やＨＤＤ（Hard Disc Drive）１０４等に接続されている。このＣＰＵ１０１は、ＲＯＭ１０２に格納されている後述する各種制御プログラムを読み出してＲＡＭ１０３に展開し、画像形成部Ａ１、画像読取部Ａ３、画像処理部１０５等、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。また、ＨＤＤ１０４には、各種データが記憶されており、適宜読み書きされる。
【００４１】
折り処理装置Ｂにおける制御部２０１は折り処理装置Ｂ全体の動作を制御するものであり、図示しない穿孔部や第１折り処理部等の動作を制御する。
【００４２】
製本装置ＣにおけるＣＰＵ３０１は製本装置Ｃ全体の動作を制御するものであり、ＲＯＭ３０２やＲＡＭ３０３等に接続されている。このＣＰＵ３０１は、ＲＯＭ３０２に格納されている各種制御プログラムを読みだしてＲＡＭ３０３に展開し、貯留量検出部６４やシート貯留検出部８３から出力される信号を読み取るなどして、塗布部４０Ｃや集積部５０Ｃや接合部６０Ｃ等の動作を制御する。また、ＣＰＵ３０１は、ＲＡＭ３０３に展開したプログラムに従って各種処理を実行し、その処理結果をＲＡＭ３０３に格納する。そして、ＲＡＭ３０３に格納した処理結果を所定の保存先に保存させる。
本実施の形態において、ＣＰＵ３０１は、貯留量検知部６４によって接着剤貯留部６０に貯留された接着剤６３の量が所定量を下回ったことが検出されると、その旨の情報を画像形成装置本体Ａに出力する。
また、ＣＰＵ３０１は、温度検知部４０Ｃｂの示す温度が所定の温度となったときは、ウォームアップが完了した旨の情報を画像形成装置本体Ａに出力する。
【００４３】
ＲＯＭ３０２には、ウォームアップ時間特定プログラム３０２ａ、シート量判定プログラム３０２ｂ、後処理時間算出プログラム３０２ｃ等が記憶されている。
【００４４】
ウォームアップ時間特定プログラム３０２ａは、処理装置としての塗布部４０Ｃのウォームアップが完了するまでの時間であるウォームアップ完了時間を特定するためのプログラムである。より詳しくは、画像形成装置本体Ａからウォームアップ完了時間の情報を要求する指令を受信したときに、温度検知部４０Ｃｂの示す温度から接着剤６３を一定の温度に到達させるまでにかかる時間（ウオームアップ完了時間）を特定し、その情報を画像形成装置本体Ａに送信するためのプログラムである。ここで、温度検知部４０Ｃｂの示す温度から接着剤６３を一定の温度に到達させるまでにかかる時間を特定する方法としては、例えば、所定のテーブルを参照し、検知温度と目標温度との差分に対応する時間が読みだされることによって行われる。なお、温度検知部４０Ｃｂの示す温度に対して所定の係数を掛け合わして時間を算出するようにしてもよい。また、所定の時間算出式に対して周辺温度係数を掛け合わせて時間を算出するようにしてもよい。
【００４５】
シート量判定プログラム３０２ｂは、シート貯留検出部８３からの検出信号に基づいて、貯留部８２に貯留されたシートの束である冊子Ｓ３が所定の高さまで積載されたか（所定量となったか）否かを判定するためのプログラムである。すなわち、シート貯留部に貯留されたシートが所定量となったか否かを判定するためのプログラムである。ＣＰＵ３０１は、このプログラムを実行することによって、貯留部８２に冊子Ｓ３が所定の高さまで積載されたと判定すると、画像形成装置本体Ａにその旨の情報が送信される。
【００４６】
後処理時間算出プログラム３０２ｃは、塗布部４０Ｃ、集積部５０Ｃ、接合部６０Ｃ等における各々の処理時間から、ある作業を行うための処理時間を算出するためのプログラムである。より詳しくは、画像形成装置本体Ａからあるジョブを実行する際に製本装置Ｃにおける処理時間を示す情報を要求する指令を受信したときに、製本装置Ｃにおける処理時間を算出して画像形成装置本体Ａにその情報を送信するためのプログラムである。この処理時間は、例えば、上述したような製本処理を行う場合には、冊子Ｓ３を１つ生成するためにかかる時間である。
【００４７】
次に、画像形成装置本体ＡのＲＯＭ１０２に記憶された制御プログラムについて説明する。
【００４８】
ＲＯＭ１０２は、例えば、図５に示すように、ジョブ入力プログラム１０２ａ、ジョブ特定プログラム１０２ｂ、処理時間特定プログラム１０２ｃ、ジョブ順序決定プログラム１０２ｄ、ジョブ実行プログラム１０２ｅ、処理時間判定プログラム１０２ｆ等の各種制御プログラムが格納されている。
【００４９】
ジョブ入力プログラム１０２ａは、オペレータ等の操作者がＰＣ（図４参照）や、画像形成装置本体Ａに設けられる、図示しない操作部などによって、複数のジョブが入力されたときに、これを受け付けて画像形成装置本体Ａの、例えば、ＲＡＭ１０３にその内容を記憶するためのプログラムである。すなわち、ジョブ入力プログラム１０２ａは、操作者による所定の入力操作に応じて複数のジョブを入力するためのプログラムである。
【００５０】
ジョブ特定プログラム１０２ｂは、ジョブ入力プログラム１０２ａがＣＰＵ１０１によって実行されたことによってＲＡＭ１０３に記憶されたジョブの入力内容から、上述した製本処理等、塗布部４０Ｃによる塗布処理の必要なジョブ（第１のジョブ、あるいは、ジョブタイプ１）と、ストレート排紙等、塗布部４０Ｃによる塗布処理の不要なジョブ（第２のジョブ、あるいは、ジョブタイプ２）との何れであるかについてジョブ毎に特定するためのプログラムである。すなわち、ジョブ特定プログラム１０２ｂは、入力したジョブについて処理装置による処理の必要な第１のジョブと処理装置による処理を行わない第２のジョブとの何れであるかを特定するためのプログラムである。
【００５１】
処理時間特定プログラム１０２ｃは、塗布処理の不要なジョブの実行開始から完了までにかかるであろう処理予想時間をジョブ毎に算出するためのプログラムである。すなわち、処理時間特定プログラム１０２ｃは、第２のジョブの処理時間を特定するためのプログラムである。ここで、塗布処理の不要なジョブの処理予想時間は、例えば、製本装置ＣのＣＰＵ３０１から送信される製本装置Ｃにおける処理時間を示す情報や印刷枚数、用紙サイズ、処理内容等によって所定のアルゴリズムにより算出される。なお、処理予想時間を特定する方法は、上述のように算出するものに限らず、例えば、ジョブの内容に対応して予め定められた時間が読みだされるように構成されたテーブルを用い、これに基づいて処理予想時間を特定するようにしてもよい。
【００５２】
ジョブ順序決定プログラム１０２ｄは、詳しくは後述するが、ＣＰＵ１０１がジョブ入力プログラム１０２ａによって第１のジョブが複数入力されたときに、その複数の第１のジョブが連続して実行されるように、ＲＡＭに記憶されたジョブの実行順序を決定するためのプログラムである。すなわち、複数の第１のジョブが第２のジョブと混在して入力されたときは、第１のジョブが連続して実行されるように複数のジョブの実行順序を決定するためのプログラムである。また、ジョブ順序決定プログラム１０２ｄは、ＣＰＵ１０１が、後述する処理時間判定プログラム１０２ｆを実行するによって、第２のジョブの処理時間がウォームアップ完了時間の範囲内にあるか否かが判定され、その判定結果に基づいて、第２のジョブがウォームアップ完了時間の範囲内にある場合には、当該第２ジョブが第１のジョブに優先して実行されるようにジョブの順序を決定し、第２のジョブがウォームアップ完了時間の範囲内にない場合には、当該第２のジョブが連続して実行される複数の第１のジョブに続いて実行されるようにジョブの実行順序を決定するためのプログラムでもある。また、ジョブ順序決定プログラム１０２ｄは、塗布部４０Ｃのウォームアップが完了しているときには、第１のジョブが第２のジョブに優先して実行されるようにジョブの実行順序を決定するためのプログラムでもある。
【００５３】
ジョブ実行プログラム１０２ｅは、ジョブ順序決定プログラム１０２ｄがＣＰＵ１０１によって実行されたことによって決定された順序に従って画像形成部Ａ１に対してジョブを実行させるためのプログラムである。
【００５４】
処理時間判定プログラム１０２ｆは、製本装置ＣのＣＰＵ３０１から送信されたウォームアップ完了時間情報と、ＣＰＵ１０１が処理時間特定プログラム１０２ｃを実行することによって算出された第２のジョブの処理予想時間とを比較して、第２のジョブの処理時間がウォームアップ完了時間の範囲内にあるか否かを判定するためのプログラムである。より詳しくは、処理時間判定プログラム１０２ｆは、ウォームアップ完了時間から既に第１のジョブに優先して実行順序が定められた第２のジョブがあれば、その処理時間を差し引き、その差し引いた時間と今回の比較対象である第２のジョブの処理時間とを比較するためのプログラムである。
【００５５】
次に、以上のような構成を有する画像形成システムＳＹにおいて、ジョブの順序を決定するための処理について、図６〜図８を参照しながら説明する。
【００５６】
最初に、図６及び図７を参照しながら、ウォームアップ中におけるジョブ順序決定処理について説明する。
【００５７】
ＣＰＵ１０１は、ジョブ順序決定プログラム１０２ｄがウォームアップ中において読み出されてウォームアップ中ジョブ順序決定処理が実行されると、先ず、ＰＣ又は画像形成装置本体Ａの操作部によりジョブ入力の要求があったか否かを判定する（ステップＳ１０１）。ＣＰＵ１０１は、ジョブ入力要求があったと判定したときは（ステップＳ１０１：Ｙ）、ジョブ入力プログラム１０２ａを読み出すことによりジョブ入力処理を実行し（ステップＳ１０２）、ジョブ入力要求があったと判定しないときは（ステップＳ１０１：Ｎ）、この処理を終了する。
【００５８】
ＣＰＵ１０１は、ジョブ入力処理において、操作者による入力操作に従って、操作者の所望とするジョブの内容をＲＡＭ１０３に記憶することにより入力を行う。
【００５９】
次に、ＣＰＵ１０１は、ジョブ特定プログラム１０２ｂを読み出すことによりジョブ特定処理を実行する（ステップＳ１０３）。ＣＰＵ１０１は、このジョブ特定処理において、ステップＳ１０２にて入力されたジョブについて、上述した塗布部４０Ｃによる塗布処理が必要なジョブタイプ１と塗布部４０Ｃによる塗布処理を行わないジョブタイプ２の何れであるかを特定する。
【００６０】
次に、ＣＰＵ１０１は、今回入力されたジョブがジョブタイプ１であるか否かを判定する（ステップＳ１０４）。
ＣＰＵ１０１は、今回入力されたジョブがジョブタイプ１であると判定したときは（ステップＳ１０４：Ｙ）、ステップＳ１０５の処理に移行する。一方、ＣＰＵ１０１は、今回入力されたジョブがジョブタイプ１であると判定しないとき、すなわちジョブタイプ２であるときは（ステップＳ１０４：Ｎ）、今回入力されたジョブをＲＡＭ１０３の所定の記憶領域に設けられたジョブリストの最後に登録し（ステップＳ１０９）、この処理を終了する。
【００６１】
ＣＰＵ１０１は、ステップＳ１０５において、ジョブリストに登録されたジョブの中にジョブタイプ１のジョブが登録されているか否かを判定する（ステップＳ１０５）。
ＣＰＵ１０１は、ジョブリストに登録されたジョブの中にジョブタイプ１のジョブが登録されていると判定したときは（ステップＳ１０５：Ｙ）、ステップＳ１０６の処理に移行する。一方、ＣＰＵ１０１は、ジョブリストに登録されたジョブの中にジョブタイプ１のジョブが登録されていると判定しないときは（ステップＳ１０５：Ｎ）、上述したステップＳ１０９の処理を実行した後、この処理を終了する。
【００６２】
ＣＰＵ１０１は、ステップＳ１０６において、ジョブリストに登録されたジョブの中にジョブタイプ１のジョブとジョブタイプ２のジョブとが混在しているか否かを判定する（ステップＳ１０６）。
ＣＰＵ１０１は、ジョブタイプ１のジョブとジョブタイプ２のジョブとが混在していると判定したときは（ステップＳ１０６：Ｙ）、ステップＳ１０７の処理に移行する。一方、ＣＰＵ１０１は、ジョブタイプ１のジョブとジョブタイプ２のジョブとが混在していると判定しないとき、すなわち、ジョブリストに登録されたジョブがジョブタイプ１のジョブのみであるときは（ステップＳ１０６：Ｎ）、上述したステップＳ１０９の処理を実行した後、この処理を終了する。
【００６３】
ＣＰＵ１０１は、ステップＳ１０７において、ジョブリストにおいて、ジョブタイプ１のジョブのうち最先に登録されたジョブよりも後にジョブタイプ２のジョブが登録されているか否かを判定する（ステップＳ１０７）。
ＣＰＵ１０１は、ジョブタイプ１のジョブよりも後にジョブタイプ２のジョブが登録されていると判定したときは（ステップＳ１０７：Ｙ）、製本装置Ｃにウォームアップ完了時間の情報を要求する指令情報を送信した後（ステップＳ１０８）、ステップＳ１０９の処理を実行する。一方、ＣＰＵ１０１は、ジョブタイプ１のジョブよりも後にジョブタイプ２のジョブが登録されていると判定しないとき、すなわち、ジョブタイプ１のジョブよりも後にジョブタイプ２のジョブが１つも登録されていないときは（ステップＳ１０７：Ｎ）、上述したステップＳ１０９の処理を実行した後、この処理を終了する。
【００６４】
次に、ＣＰＵ１０１は、ステップＳ１１０において、指令情報を送信した後、製本装置Ｃからウォームアップ完了時間情報を受信したか否かを判定し（ステップＳ１１０）、ウォームアップ完了時間情報を受信するまでこの処理を繰り返し実行する。
【００６５】
次に、ＣＰＵ１０１は、処理時間特定プログラム１０２ｃを読み出して処理時間特定処理を実行する（ステップＳ１１１）。ＣＰＵ１０１は、この処理時間特定処理において、ジョブリストにおいて最先に登録されたジョブタイプ１（最先ジョブタイプ１）のジョブよりも後であって直近の位置に登録されたジョブタイプ２（対象ジョブタイプ２）のジョブの処理時間を算出する。具体的には、ＣＰＵ１０１は、製本装置Ｃに対して対象ジョブタイプ２のジョブを実行するに際して要する処理時間を示す情報を要求する指令情報を送信する。また、ＣＰＵ１０１は、同様に、折り処理装置Ｂの制御部２０１に対しても同様の指令情報を送信する。そして、ＣＰＵ１０１は、折り処理装置Ｂ及び製本装置Ｃから処理時間を示す情報を受信したときに、用紙枚数や用紙サイズなどの各種パラメータに基づいて当該ジョブにおける処理予想時間を算出する。
【００６６】
次に、ＣＰＵ１０１は、ウォームアップ残時間算出処理を実行する（ステップＳ１１２）。ＣＰＵ１０１は、このウォームアップ残時間算出処理において、ウォームアップ完了時間から、後述するジョブタイプ１のジョブに優先して登録されたジョブタイプ２のジョブの合計処理予想時間を差し引いた時間（Ｔｗｕｐ）を算出する。例えば、ウォームアップ完了時間が１５分で、ジョブタイプ１のジョブに優先して登録されたジョブタイプ２のジョブの数が２つあって、それぞれの処理予想時間が３分と５分である場合、ウォームアップ残時間（Ｔｗｕｐ）は、７分となる。
【００６７】
次に、ＣＰＵ１０１は、図７に示すように、処理時間判定プログラム１０２ｆを読み出して、処理時間判定処理を実行する（ステップＳ１１３）。ＣＰＵ１０１は、処理時間判定処理において、対象ジョブタイプ２のジョブの処理時間（Ｔａ）と、ウォームアップ残時間（Ｔｗｕｐ）とを比較する。
【００６８】
次に、ＣＰＵ１０１は、処理時間判定処理における比較結果、対象ジョブタイプ２のジョブの処理時間（Ｔａ）がウォームアップ残時間（Ｔｗｕｐ）以下であるか否かを判定する（ステップＳ１１４）。
ＣＰＵ１０１は、対象ジョブタイプ２のジョブの処理時間（Ｔａ）がウォームアップ残時間（Ｔｗｕｐ）以下であると判定したときは（ステップＳ１１４：Ｙ）、対象ジョブタイプ２のジョブの登録位置を最先ジョブタイプ１のジョブの前となるように、ジョブリストにおけるジョブの登録位置を入れ替える処理を行う（ステップＳ１１５）。一方、ＣＰＵ１０１は、対象ジョブタイプ２のジョブの処理時間（Ｔａ）がウォームアップ残時間（Ｔｗｕｐ）以下であると判定しないとき、すなわち、対象ジョブタイプ２のジョブの処理時間（Ｔａ）がウォームアップ残時間（Ｔｗｕｐ）よりも大きいと判定したときは（ステップＳ１１４：Ｎ）、今回入力されたジョブタイプ１のジョブを、ジョブリストにおける登録済みのジョブタイプ１のうちの最後に登録されたジョブの後ろに連続するように登録し（ステップＳ１１６）、この処理を終了する。
【００６９】
ＣＰＵ１０１は、ステップＳ１１７において、最先ジョブタイプ１のジョブよりも後にジョブタイプ２のジョブが登録されているか否かを判定する（ステップＳ１１７）。
ＣＰＵ１０１は、最先ジョブタイプ１のジョブよりも後にジョブタイプ２のジョブが登録されていると判定したときは（ステップＳ１１７：Ｙ）、今回入力されたジョブの登録はここでは行わず、再度、ステップＳ１１２の処理に移行する。一方、ＣＰＵ１０１は、最先ジョブタイプ１のジョブよりも後にジョブタイプ２のジョブが登録されていると判定しないとき、すなわち、最先ジョブタイプ１のジョブよりも後にはジョブタイプ１のジョブしか登録されていない場合には（ステップＳ１１７：Ｎ）、今回入力されたジョブをジョブリストの最後に登録し（ステップＳ１１８）、この処理を終了する。
【００７０】
続いて、図８を参照しながら、レディ中におけるジョブ順序決定処理について説明する。
【００７１】
ＣＰＵ１０１は、ジョブ順序決定プログラム１０２ｄがレディ中、すなわち、ウォームアップ完了時において読み出されてウォームアップ中ジョブ順序決定処理が実行されると、先ず、ＰＣ又は画像形成装置本体Ａの操作部によりジョブ入力の要求があったか否かを判定する（ステップＳ２０１）。ＣＰＵ１０１は、ジョブ入力要求があったと判定したときは（ステップＳ２０１：Ｙ）、ジョブ入力プログラム１０２ａを読み出すことによりジョブ入力処理を実行し（ステップＳ２０２）、ジョブ入力要求があったと判定しないときは（ステップＳ２０１：Ｎ）、この処理を終了する。
【００７２】
ＣＰＵ１０１は、ジョブ入力処理において、操作者による入力操作に従って、操作者の所望とするジョブの内容をＲＡＭ１０３に記憶することにより入力を行う。
【００７３】
次に、ＣＰＵ１０１は、ジョブ特定プログラム１０２ｂを読み出すことによりジョブ特定処理を実行する（ステップＳ２０３）。ＣＰＵ１０１は、このジョブ特定処理において、ステップＳ２０２にて入力されたジョブについて、上述した塗布部４０Ｃによる塗布処理が必要なジョブタイプ１と塗布部４０Ｃによる塗布処理を行わないジョブタイプ２の何れであるかを特定する。
【００７４】
次に、ＣＰＵ１０１は、今回入力されたジョブがジョブタイプ１であるか否かを判定する（ステップＳ２０４）。
ＣＰＵ１０１は、今回入力されたジョブがジョブタイプ１であると判定したときは（ステップＳ２０４：Ｙ）、ステップＳ２０５の処理に移行する。一方、ＣＰＵ１０１は、今回入力されたジョブがジョブタイプ１であると判定しないとき、すなわちジョブタイプ２であるときは（ステップＳ２０４：Ｎ）、今回入力されたジョブをＲＡＭ１０３の所定の記憶領域に設けられたジョブリストの最後に登録し（ステップＳ２０６）、この処理を終了する。
【００７５】
ＣＰＵ１０１は、ステップＳ２０５において、ジョブリストに登録されたジョブの中にジョブタイプ１のジョブが登録されているか否かを判定する（ステップＳ２０５）。
ＣＰＵ１０１は、ジョブリストに登録されたジョブの中にジョブタイプ１のジョブが登録されていると判定したときは（ステップＳ２０５：Ｙ）、今回入力されたジョブタイプ１のジョブを、ジョブリストにおける登録済みのジョブタイプ１のうちの最後に登録されたジョブの後ろに連続するように登録し（ステップＳ２０７）、この処理を終了する。一方、ＣＰＵ１０１は、ジョブリストに登録されたジョブの中にジョブタイプ１のジョブが登録されていると判定しないときは（ステップＳ１０５：Ｎ）、今回入力したジョブタイプ１のジョブを、ジョブリストの最先の位置に登録し、ジョブタイプ２のジョブが登録されている場合には、後方に登録位置をスライドさせ（ステップＳ２０８）、この処理を終了する。
【００７６】
以上の処理によってジョブが登録された後、ＣＰＵ１０１は、ジョブ実行プログラム１０２ｅを読み出してジョブ実行処理を実行することにより、画像形成部Ａ１に対して登録されたジョブを順次実行をさせる。
【００７７】
なお、ＣＰＵ１０１は、ジョブの実行中において、貯留量検知部６４によって接着剤貯留部６０に貯留された接着剤６３の量が所定量を下回ったことを示す情報又はシート貯留検出部８３によって冊子Ｓ３が所定高さまで積載されたことが検出されたことを示す情報が製本装置Ｃから出力されると、ジョブタイプ１のジョブの実行を一時保留して、ジョブタイプ２のジョブがジョブリストに登録されている場合には、当該ジョブを優先して実行するように画像形成部Ａ１を制御する。
【００７８】
以上の処理によって、ウォームアップが必要な処理装置による処理が必要な複数のジョブタイプ１のジョブとウォームアップが必要な処理装置による処理が不要なジョブタイプ２のジョブとが混在した場合でも、ジョブタイプ１のジョブが連続して実行されるので、複数のジョブタイプ１のジョブの間にジョブタイプ２のジョブが介在することがなくなり、ジョブタイプ２のジョブの実行中においても塗布部４０Ｃにおいて温度を維持するために加熱部４０Ｃａを加熱する必要がなくなり、エネルギー効率を高められる。また、接着剤６３に対して過度に加熱されることもなくなるので、接着剤６３の劣化が抑制され、冊子Ｓ３の製品品質の維持も図れる。
【００７９】
以上のように構成される画像形成システムＳＹにおいて、操作者によってジョブの入力が行われるとどのようにしてジョブの順序が決定されるかについて図９〜図１４を参照しながら説明する。
【００８０】
まず、ウォームアップ中においてジョブの入力が行われた場合のジョブの登録（ジョブの順序の決定の仕方）について説明する。
図９（ａ）に示されるように、操作者によりジョブａ〜ジョブｃ（ジョブａ＝ジョブタイプ２／処理時間３分、ジョブｂ＝ジョブタイプ１／処理時間４分、ジョブｃ＝ジョブタイプ２／処理時間２０分）まで順次入力されると、ジョブａはジョブタイプ２であり（図６、ステップＳ１０４）、ジョブｂの入力時はジョブタイプ１のジョブがジョブリストに登録されておらず（図６、ステップＳ１０５）、ジョブｃはジョブタイプ２である（図６、ステップＳ１０４）から、ジョブリストの登録順序が入れ替わることなく、入力順に登録される（図６、ステップＳ１０９）。
次に、ジョブｄ（ジョブｄ＝ジョブタイプ１／処理時間６分）が入力されると、ジョブｄの入力時はジョブリストにジョブタイプ１のジョブが登録されており（図６、ステップＳ１０５）、ジョブタイプ１のジョブとジョブタイプ２のジョブとが混在し（図６、ステップＳ１０６）、最先ジョブタイプ１であるジョブｂの後ろにジョブタイプ２であるジョブｃが登録されているので（図６、ステップＳ１０７）、製本装置Ｃよりウォームアップ完了時間情報を取得した後、ウォームアップ残時間を算出する。ウォームアップ残時間は、最先ジョブタイプ１の前にジョブタイプ２であるジョブａが登録されているので、取得したウォームアップ完了時間が５分とすると、ウォームアップ残時間は２分である。ジョブｃの処理時間はウォームアップ残時間よりも大きいため（図７、ステップＳ１１４）、ジョブｃはジョブｂよりも前に配置されず、図９（ｂ）に示されるように、今回入力されたジョブｄがジョブｂの直後の位置に配置され、ジョブｃは後方にスライドされる（図７、ステップＳ１１６）。
【００８１】
図９に示される例によって登録されたジョブの処理時間と加熱部４０Ｃａとの加熱時間との関係を図１０を参照しながら説明する。
【００８２】
図１０（ａ）に示されるように、ジョブの順序の変更が行われず、入力順に行われた場合、ジョブａの実行後、ウォームアップが完了するまでジョブタイプ１であるジョブｂの実行が保留されるため、２分間の待機時間が生じる。その後、ジョブｂ〜ｄまで順次行われると、塗布部４０Ｃの加熱部４０Ｃａは３５分間加熱し続けることとなる。
一方、本発明の実施の形態によれば、図１０（ｂ）に示されるように、ジョブリストにおけるジョブｃとジョブｄの位置が入れ替わるので、ジョブｄの実行後、加熱部４０Ｃａはその後加熱する必要がなくなる。すると、加熱部４０Ｃａの加熱時間は１５分と図１０（ａ）に示される例に比べると２０分も短縮されることになる。
【００８３】
次に、ウォームアップ中においてジョブの入力が行われた場合のジョブの登録についての別の例について説明する。
図１１（ａ）に示されるように、操作者によりジョブａ〜ジョブｃ（ジョブａ＝ジョブタイプ２／処理時間３分、ジョブｂ＝ジョブタイプ１／処理時間４分、ジョブｃ＝ジョブタイプ２／処理時間１０分）まで順次入力されると、ジョブａはジョブタイプ２であり（図６、ステップＳ１０４）、ジョブｂの入力時はジョブタイプ１のジョブがジョブリストになく（図６、ステップＳ１０５）、ジョブｃはジョブタイプ２である（図６、ステップＳ１０４）から、ジョブリストの登録順序が入れ替わることなく、入力順に登録される（図６、ステップＳ１０９）。
次に、ジョブｄ（ジョブｄ＝ジョブタイプ１／処理時間６分）が入力されると、ジョブｄの入力時はジョブリストにジョブタイプ１のジョブが登録されており（図６、ステップＳ１０５）、ジョブタイプ１のジョブとジョブタイプ２のジョブとが混在し（図６、ステップＳ１０６）、最先ジョブタイプ１であるジョブｂの後ろにジョブタイプ２であるジョブｃが登録されているので（図６、ステップＳ１０７）、製本装置Ｃよりウォームアップ完了時間情報を取得した後、ウォームアップ残時間を算出する。ウォームアップ残時間は、最先ジョブタイプ１の前にジョブタイプ２であるジョブａが登録されているので、取得したウォームアップ完了時間が１５分とすると、ウォームアップ残時間は１２分である。ジョブｃの処理時間はウォームアップ残時間よりも小さいため（図７、ステップＳ１１４）、図１１（ｂ）に示されるように、ジョブｃはジョブｂよりも前に配置され、ジョブｂは後方にスライドされる。そして、ジョブリストにおいて、最先ジョブタイプ１のジョブの後ろにはジョブタイプ２のジョブは存在しないから（図７、ステップＳ１１７）、今回入力されたジョブｄは順序が入れ替えられたジョブｂの直後の位置に配置される（図７、ステップＳ１１８）。
【００８４】
図１１に示される例によって登録されたジョブの処理時間と加熱部４０Ｃａとの加熱時間との関係を図１２を参照しながら説明する。
【００８５】
図１２（ａ）に示されるように、ジョブの順序の変更が行われず、入力順に行われた場合、ジョブａの実行後、ウォームアップが完了するまでジョブタイプ１であるジョブｂの実行が保留されるため、１２分間の待機時間が生じる。その後、ジョブｂ〜ｄまで順次行われると、塗布部４０Ｃの加熱部４０Ｃａは３５分間加熱し続けることとなる。
一方、本発明の実施の形態によれば、図１２（ｂ）に示されるように、ジョブリストにおけるジョブｂとジョブｃの位置が入れ替わるので、ウォームアップ中においてジョブａに加えジョブｃを実行でき、待機時間は２分に短縮される。その後、ジョブｂ及びジョブｄが順次実行される。すると、加熱部４０Ｃａの加熱時間は２５分と図１２（ａ）に示される例に比べると１０分も短縮されることになる。
【００８６】
次に、レディ中においてジョブの入力が行われた場合のジョブの登録について説明する。
図１３（ａ）に示されるように、操作者によりジョブａ〜ジョブｃ（ジョブａ＝ジョブタイプ１／処理時間４分、ジョブｂ＝ジョブタイプ２／処理時間３分、ジョブｃ＝ジョブタイプ２／処理時間４分）まで順次入力されると、ジョブａの入力時はジョブタイプ１のジョブがジョブリストになく（図８、ステップＳ２０５）、ジョブｂ及びジョブｃはジョブタイプ２である（図８、ステップＳ２０４）から、ジョブリストの登録順序が入れ替わることなく、入力順に登録される（図８、ステップＳ２０８、ステップＳ２０６）。
次に、ジョブｄ（ジョブｄ＝ジョブタイプ１／処理時間６分）が入力されると、ジョブｄの入力時はジョブリストにジョブタイプ１のジョブが登録されているので（図８、ステップＳ２０５）、ジョブｄは、図１３（ｂ）に示されるように、ジョブリストにおける登録済みジョブタイプ１のジョブのうちの最後に登録されたジョブであるジョブａの直後に配置される。
【００８７】
図１３に示される例によって登録されたジョブの処理時間と加熱部４０Ｃａとの加熱時間との関係を図１４を参照しながら説明する。
【００８８】
図１４（ａ）に示されるように、ジョブの順序の変更が行われず、入力順に行われた場合、ジョブａ〜ｄまで順次行われると、塗布部４０Ｃの加熱部４０Ｃａは１７分間加熱し続けることとなる。
一方、本発明の実施の形態によれば、図１４（ｂ）に示されるように、ジョブリストにおけるジョブｂ〜ジョブｄの位置が入れ替わるので、ジョブｄの実行後、加熱部４０Ｃａはその後加熱する必要がなくなる。すると、加熱部４０Ｃａの加熱時間は１０分と図１４（ａ）に示される例に比べると７分も短縮されることになる。
【００８９】
次に、本発明の第２の実施の形態について説明する。
本実施の形態における画像形成システムＳＹａは、図１５に示されるように、第１の実施の形態におけるシート処理装置ＦＳに代えて第２定着装置Ｄが配置されたものである。
ここでは、第２定着装置Ｄの説明のみにとどめ、画像形成装置本体Ａについては、第１の実施の形態において説明したものと同様であるため、説明を省略する。
【００９０】
処理装置としての第２定着装置Ｄは、第２定着部１００８を備えている。第２定着部１００８は、画像形成装置本体Ａから排出されたシートＳ１等に形成されたトナー像をさらに定着させるためのものである。この第２定着部１００８による第２定着処理は、例えば、紙質に応じて選択的に行われるものであり、第２定着処理の実行に応じて第２定着部１００８の定着ローラが加熱される。
【００９１】
この定着ローラを含む第２定着部１００８も、第２定着処理が実行される場合には、ウォームアップが必要な処理装置となる。すなわち、定着ローラが十分な温度に加熱されるまでに十分な時間（例えば、５〜１０分）を要することから、第１の実施の形態と同様に、第２定着処理を実行する複数のジョブを連続して実行させることで、定着ローラの加熱時間を短縮させることができ、効率化を図ることができるようになる。
【００９２】
以上説明したように、本実施形態によれば、ＣＰＵ１０１は、入力された複数のジョブについて塗布部４０Ｃによる塗布処理の必要な第１のジョブ、又は、第２定着部１００８による第２定着の必要な第１のジョブと、塗布処理を行わない第２のジョブ、又は、第２定着を行わない第２のジョブとを特定する。そして、ＣＰＵ１０１は、第２のジョブの他に第１のジョブが複数入力されたときは、第１のジョブが連続して実行されるように複数のジョブの実行順序を決定する。その結果、処理装置としての塗布部４０Ｃ又は第２定着部１００８における加熱時間の短縮が図れるようになり、ウォームアップに伴うエネルギー効率の向上を図ることができる。
【００９３】
また、本実施形態によれば、ＣＰＵ１０１は、塗布部４０Ｃ又は第２定着部１００８のウォームアップが完了するまでの時間であるウォームアップ完了時間と入力された第２のジョブの処理時間とを特定する。そして、ＣＰＵ１０１は、第２のジョブの処理時間が処理装置としての塗布部４０Ｃ又は第２定着部１００８のウォームアップ完了時間の範囲内にあるか否かを判定する。そして、ＣＰＵ１０１は、第２のジョブの処理時間がウォームアップ完了時間の範囲内にあると判定したときは、当該第２のジョブが第１のジョブに優先して実行されるようにジョブの実行順序を決定し、第２のジョブの処理時間がウォームアップ完了時間の範囲内にあると判定しないときは、当該第２のジョブが連続して実行される複数の第１のジョブに続いて実行されるようにジョブの実行順序を決定する。その結果、ウォームアップ中において第２のジョブを実行させてウォームアップ中における時間を有効に活用することができ、作業の効率化が図れるとともに、塗布部４０Ｃ又は第２定着部１００８における加熱時間の短縮も図れるので、エネルギー効率の向上も図れる。
【００９４】
また、本実施形態によれば、ＣＰＵ１０１は、塗布部４０Ｃ又は第２定着部１００８のウォームアップが完了しているとき、第１のジョブが優先して実行されるようにジョブの実行順序を決定するので、ウォームアップされた状態で速やかに第１のジョブが実行でき、作業の効率化が図れるとともに、第１のジョブの実行前において加熱状態を維持する必要もないので、エネルギー効率の向上がさらに図れる。
【００９５】
また、第１の実施の形態によれば、ＣＰＵ１０１は、貯留量検出部６４による検出結果、接着剤６３の貯留量が所定量に満たないときは、第１のジョブの実行を保留して第２のジョブを優先して実行させるので、接着剤６３が不足することによって作業が中断されることがなく、作業の効率化が図れる。
【００９６】
また、第１の実施の形態によれば、ＣＰＵ１０１は、シート貯留部８２に貯留された冊子Ｓ３が所定量となったときは、第１のジョブの実行を保留して第２のジョブを優先して実行させるので、冊子Ｓ３などのシートが排出できないほどシート貯留部８２にシートが貯留されたことによって作業が中断されることがなく、作業の効率化が図れる。
【００９７】
なお、本実施形態では、塗布部４０Ｃ又は第２定着部１００８のウォームアップ中においては、第２のジョブを第１のジョブに優先して実行するようにしているが、ウォームアップ中において第２のジョブを優先して実行しないようにしてもよい。
【００９８】
また、本実施形態では、塗布部４０Ｃ又は第２定着部１００８のウォームアップ中において、第２のジョブの処理時間がウォームアップ完了時間よりも短い場合に、当該第２のジョブを第１のジョブに優先して実行するようにしているが、第２のジョブの処理時間がウォームアップ完了時間よりも長くても第１のジョブに優先して実行するようにしてもよい。この場合、ウォームアップ完了時間を超える分はできるだけ少ないのが好ましい。
【００９９】
また、本実施形態では、塗布部４０Ｃ又は第２定着部１００８のウォームアップが完了している場合には、第１のジョブを優先して実行させるようにしたが、例えば、第１のジョブよりも先に第２のジョブが入力されている場合には、当該第２のジョブを先に実行させた後に第１のジョブを実行させるようにしてもよい。
【０１００】
また、第１の実施の形態では、接着剤の貯留量が所定量に満たない場合には、第１のジョブの実行を保留して第２のジョブを優先して実行させるようにしているが、このような機能を有していなくてもよい。
【０１０１】
また、第１の実施の形態では、接着剤貯留部における接着剤の貯留量に応じて接着剤が補給されるように構成されているが、その補給態様として、液状のものが供給されるものとしてもよく、また、例えば、固形の接着剤を多数貯留するためのホッパーを備えて、接着剤貯留部における接着剤の貯留量に応じて固形の接着剤が接着剤貯留部に適宜供給され、加熱部によって加熱することによって固形の接着剤を溶解して補給するような態様でもよい。
【０１０２】
また、第１の実施の形態では、シート貯留部に所定量のシートが貯留された場合には、第１のジョブを保留して第２のジョブを優先して実行させるようにしているが、このような機能を有していなくてもよい。
【０１０３】
また、第１の実施の形態では、画像形成装置が折り処理装置あるいは製本装置より算出された処理時間（後処理時間）を示す情報を取得してジョブの処理時間を算出するようにしたが、この後処理時間を示す情報について、画像形成装置が算出するようにしてもよい。
【０１０４】
また、本実施形態では、処理装置として塗布部や第２定着部を例に挙げて説明したが、ウォームアップが必要な処理装置であれば、何れのものでも本発明に適用可能であり、例えば、シート束の一辺を綴じテープにて貼着する綴じ部にも適用できる。この綴じ部は、ホットメルトタイプの接着剤が塗布された綴じテープが用いられるため、綴じテープは加熱部によって加熱されながらシート束へ貼着される必要がある。そのため、加熱部を予め加熱させるためにウォームアップが必要となり、ウォームアップ必要ジョブが実行され、ウォームアップ不要ジョブが実行された後、さらにウォームアップ必要ジョブが実行される場合には、温度の低下を抑制するため、ウォームアップ不要ジョブの実行中においても処理装置を加熱し続けなければならないことになるが、本発明を適用することにより、加熱時間の短縮が図れるようになり、ウォームアップに伴うエネルギー効率の向上を図ることができる。
【０１０５】
また、本実施形態における処理装置としての塗布部や第２定着部を、画像形成装置本体とは別のユニットに配置したが、画像形成装置本体に配置されるものとしてもよい。
【符号の説明】
【０１０６】
ＳＹ  画像形成システム
Ａ  画像形成装置本体
Ａ１  画像形成部
Ｃ  製本装置
１０１  ＣＰＵ
１０２  ＲＯＭ
１０３  ＲＡＭ
３０１  ＣＰＵ
３０２  ＲＯＭ
３０３  ＲＡＭ
４０Ｃ  塗布部
４０Ｃａ  加熱部
４０Ｃｂ  温度検知部
６０  接着剤貯留部
６４  貯留量検出部
８１  排出部
８２  貯留部
８３  シート貯留検出部
ＳＹａ  画像形成システム
Ｄ  定着装置
１００８  第２定着部
【図１】
2011099945.tif 000003
【図２】
2011099945.tif 000004
【図３】
2011099945.tif 000005
【図４】
2011099945.tif 000006
【図５】
2011099945.tif 000007
【図６】
2011099945.tif 000008
【図７】
2011099945.tif 000009
【図８】
2011099945.tif 000010
【図９】
2011099945.tif 000011
【図１０】
2011099945.tif 000012
【図１１】
2011099945.tif 000013
【図１２】
2011099945.tif 000014
【図１３】
2011099945.tif 000015
【図１４】
2011099945.tif 000016
【図１５】
2011099945.tif 000017